(57)【要約】      （修正有）【課題】フライパンの重さと中の材料の重さで、楽に振ることができるフライパンを提供する。【解決手段】挟み式は、フライパン３の側面に、アーム５を円形状に設け、支点７に取り付ける。片方に、受け止め１０を設ける。フライパン３に受け棒１１を設ける。受け止め１０をレールに受け棒１１と支点７で、フライパンをスライドさせ、柄を挟むことで、フライパンが手前に動き、受け棒１１が受け止め１０まで、下がるようにすることで、フライパン３の向こう側を持ち上げることが出来るようになる。【選択図】図１
2020116357.tif 000002
【特許請求の範囲】
【請求項１】
フライパン３の側面に、支点７と、手前の受け棒１１に、受け止め１０を設けたアーム５を上下に動くように取り付ける。アーム５は、柄１と一体にして、支点４で、交差させ、挟み柄２を設ける。挟み柄２は、フライパン３の支点１２に取り付け連結する。柄と挟み柄を、挟むことで振る操作をするフライパン。
【請求項２】
［図４］のように、フライパン３の鍋の縁を交差させ、縦に輪柄１を取り付ける。輪柄１の中に、返しレバー８を設けたフライパン及び片手鍋。
【請求項３】
［請求項２］の返しレバー８の取り付け部にバネ９を設ける。
【請求項４】
［図１０］の受け型２０の凹部１７に［図１１］の凸部１６を、プライヤ−挟みのように、柄１４と柄１５を挟むことで、噛み合せ柄とフライパン３を脱着するフライパン及び片手鍋。
【発明の詳細な説明】
【技術分野】
【０００１】  本発明は炒め物を作る時掻き回すフライパンと、片手鍋を軽く持つ装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。片手鍋も軽く持つ装置は改良されず現在も一本の柄で操作していた。
【特許文献１】特開２０１０−１６７２５０
【０００３】
【発明の開示】
【発明が解決しようとする課題】
【０００４】  フライパンを振るということは、フライパンの重さと中の材料の重さで、楽に掻き回すことができなかった。柄が長いということは、フライパンが重たくなる課題がある。その課題を、遠くから、火の近くで振る必要がなく、解決しようとするものである。【０００５】  火の近くで持つということは、油汚れ高温とで、理想的ではないが、従来のまま柄長のフライパンにすると重心の位置が移動するのでフライパンが重たくなる。この軽く持つ操作の課題を解決するものである。片手鍋と、フライパンは説明上フライパンとする。
【課題を解決するための手段】
【０００６】  本発明は、柄と挟み柄で挟むことでフライパンを振る方法と、輪柄にして、吊るされた状態の位置で、輪柄を回転させて、フライパンの向こう側を持ち上げる方法がある。【０００７】  柄１を、手前とし向こう側を、フライパン３とする。挟み式は［図１］のように、フライパンの柄と挟み柄の交差部に支点４を設ける。柄の向こう側にフライパン３と柄を安定するためのアーム５をフライパンに円形状に設け、柄１とアーム５は、一体にして連動するように取り付ける。【０００８】  柄１の下部に挟み柄２を設ける。挟み柄は支点４と支点１２で、真棒６と連結させて取り付ける。アーム５に支点７と、レール状の受け止め１０と、フライパンに受け棒１１を設ける。柄１を持つて挟み柄２を挟むと支点１２と、支点７で、フライパンが手前に動き、受け棒１１が受け止め１０まで、フライパンをスライドさせる。柄と挟み柄で挟むことでテコの原理により、遠くから、支点７でシーソー運動をさせてフライパン３の向こう側を持ち上げる。［図２］の状態から、［図３］が、挟む状態を示す側面図である。【０００９】  輪柄式は［図４］のフライパンの鍋の縁を交差するように、円形状の柄１を縦に固定する。その輪柄１の中に、返しレバー８を設ける。輪柄１を手の平で合せて、親指で持って、人差し指に中指で返しレバー８を挟むと、フライパン３の向こう側を持ち上げようとする力が発生する。この輪柄を、回転させようとする力を利用して、向こう側を持ち上げる。［図５］［図６］のように、返しレバーの取り付け部に、バネ９を取り付ける。【００１０】  ［図８］のように、輪柄を、大きくして吊るされた状態の位置で、持つことが出来るようになるが、大きくすると、邪魔になることがあり、脱着する必要がある。［図８］［図９］のフライパン３に取り付けた取っ手状受け型２０を、手前と向こう側のフライパン３側からも取り付け取り外せるようにする。円形状のプライヤー挟みの柄１４と柄１５を設け柄１５に返しレバー８を取り付ける。［図１０］の受け型２０の凹部１７に［図１１］の凸部１６を、プライヤー挟みのように、柄で挟むことで噛み合せ柄とフライパンを脱着する。【００１１】  挟み式の支点７は、フライパン３の両側面に、設けたいが、邪魔になる課題がある。円形状のアーム５を、フライパンをレールに上下にスライドさせて動くようにして、アーム５を、フライパンの片方の側面に取り付け、フライパン３の向こう側を持ち上げる。通常操作は支点４のバネ１３で柄１に固定させて１本の半円状棒柄になりフライパンと噛み合せ操作が出来る。［図７］は、挟み式フライパンを、円形状の柄にした側面図である。
【発明の効果】
【００１２】  挟むフライパンは、柄と挟み柄で挟むことで、輪柄  フライパン  は、返しレバーを挟むことで、フライパン３の向こう側を軽く持ち上げることが出来るようになる。【００１３】  柄と挟み柄を柄長にすることで、遠くから、楽にフライパンを、振ることが出来る。輪柄を、大きくすることでも、遠くから、振ることが出来る。輪柄の返しレバーを、挟むと、フライパン３の手前と向こう側の重量バランスが、よくなる効果が、発生するので、片手鍋も吊るされた状態の位置で、軽く持って、楽に操作できるようになる。
【発明を実施するための形態】
【００１４】  挟み式は、フライパン３の鍋の側面に、アーム５を円形状に設け、支点７に取り付ける。片方に、受け止め１０を設ける。フライパン３に受け棒１１を設ける。受け止め１０をレールに受け棒１１と支点７で、フライパンをスライドさせ、柄を挟むことで、フライパンが手前に動き、受け棒１１が受け止め１０まで、下がるようにすることで、フライパン３の向こう側を持ち上げることが出来るようになる。支点７の位置は、フライパン３の重心の手前に設け、フライパンの向こう側を重くして、挟み柄２が下がる状態の位置で、バネ１３で、バランスを取り操作ができるようになる。
【００１５】  輪柄式は、柄に返しレバー８を設ける。返しレバーの取り付け部にバネ９を取り付ける。バネの弾力で返しレバーを挟み持ち上げて、レバーを外し輪柄の手の平をゆるめてフライパンを下げる。弾性を利用する構造は、返しレバー８にも弾性を作れるが、返しレバーの取り付け部に、バネ９を取り付け吊るされた状態の位置で楽に振る操作が出来るようになる。
【図面の簡単な説明】
【００１６】
【図１】  挟み式の斜視図
【図２】  挟み式の側面図
【図３】  挟み式の挟む状態の側面図
【図４】  輪柄式の斜視図
【図５】  輪柄式の斜視図
【図６】  輪柄式の側面図、一部断面図
【図７】  挟み式の吊り下げる輪柄の側面図
【図８】  輪柄式の噛み合せ脱着式の斜視図
【図９】  輪柄式の噛み合せ脱着式のフライパン３側から取り付けた状態の斜視図
【図１０】  輪柄式の噛み合せ脱着式の鍋の斜視図
【図１１】  輪柄式の噛み合せ脱着式の輪柄の側面図、一部斜視図
【符号の説明】
【００１７】  １  柄
２  挟み柄
３  フライパン（鍋）
４  支点
５  アーム
６  真棒
７  支点
８  返しレバー
９  バネ
１０  受け止め
１１  受け棒
１２  支点
１３  バネ
１４  円形状の柄
１５  円形状の柄
１６  凸部
１７  凹部
１８  柄を固定する凸部の取り付け部
１９  柄を固定する凹部の取り付け部
２０  プライヤー挟みの受け型
【図１】
2020116357.tif 000003
【図２】
2020116357.tif 000004
【図３】
2020116357.tif 000005
【図４】
2020116357.tif 000006
【図５】
2020116357.tif 000007
【図６】
2020116357.tif 000008
【図７】
2020116357.tif 000009
【図８】
2020116357.tif 000010
【図９】
2020116357.tif 000011
【図１０】
2020116357.tif 000012
【図１１】
2020116357.tif 000013